(57)【要約】【課題】画像形成装置における画像データの修正を容易にし、画像形成装置の稼動効率を向上させる。【解決手段】ＰＣから予約ジョブリスト情報の取得要求が画像形成装置に送信され（ステップＳ２）、予約ジョブリスト情報が画像形成装置からＰＣに送信される（ステップＳ４）。次に、ＰＣから予約ジョブリスト情報に含まれる予約ジョブのうち修正対象となるジョブ番号情報及びページ番号情報が画像形成装置に送信され（ステップＳ６）、画像形成装置にて修正対象ページの画像データが読み出され、ＰＣに送信される（ステップＳ８）。ＰＣにて修正対象ページの画像データに対して修正が施され（ステップＳ９）、修正済み画像データが画像形成装置に送信される（ステップＳ１０）。画像形成装置では、修正対象ページの画像データが修正済み画像データに更新される（ステップＳ１２）。【選択図】図２
2005332029.tif 000002
【特許請求の範囲】
【請求項１】
複数の予約ジョブをジョブ番号及びページ番号単位で記憶する記憶手段を備え前記複数の予約ジョブに含まれる画像データに基づいて画像形成を行う画像形成装置と、情報処理装置と、が通信回線により接続され、
前記情報処理装置は、前記複数の予約ジョブのうち修正対象となるジョブ番号情報及びページ番号情報を前記画像形成装置に送信し、
前記画像形成装置は、前記情報処理装置から送信された修正対象となるジョブ番号情報及びページ番号情報に基づいて、前記記憶手段に記憶されている複数の予約ジョブから修正対象となるジョブ番号及びページ番号の画像データを読み出して前記情報処理装置に送信し、
前記情報処理装置は、前記画像形成装置から送信された画像データに修正を施して修正済みの画像データを前記画像形成装置に送信し、
前記画像形成装置は、前記修正対象となるジョブ番号及びページ番号の画像データを前記情報処理装置から送信された修正済みの画像データに更新するように構成したことを特徴とする画像形成システム。
【請求項２】
請求項１に記載の画像形成システムにおいて、
前記画像形成装置は、修正可能な予約ジョブの予約ジョブリスト情報を前記情報処理装置に送信し、
前記情報処理装置は、前記画像形成装置から送信された予約ジョブリスト情報に含まれる予約ジョブから修正対象となるジョブ番号情報及びページ番号情報を前記画像形成装置に送信することを特徴とする画像形成システム。
【請求項３】
請求項２に記載の画像形成システムにおいて、
前記予約ジョブリスト情報は、前記画像形成装置にてプルーフ出力した予約ジョブのみを含むことを特徴とする画像形成システム。
【請求項４】
請求項１〜３のいずれか一項に記載の画像形成システムにおいて、
前記記憶手段に記憶されている画像データは圧縮画像データであり、
前記画像形成装置は、前記情報処理装置に画像データを送信する際に、前記圧縮画像データを伸張画像データに変換し、当該伸張画像データを前記情報処理装置に送信することを特徴とする画像形成システム。
【請求項５】
請求項１〜４のいずれか一項に記載の画像形成システムにおいて、
前記情報処理装置から前記画像形成装置に送信される修正済みの画像データは伸張画像データであり、
前記画像形成装置は、前記伸張画像データを圧縮画像データに変換することを特徴とする画像形成システム。
【請求項６】
請求項１〜５のいずれか一項に記載の画像形成システムにおいて、
前記画像形成装置と前記情報処理装置との間でジョブ番号情報、ページ番号情報及び画像データを送受信する際に使用するプロトコルはＨＴＴＰであることを特徴とする画像形成システム。
【請求項７】
複数の予約ジョブをジョブ番号及びページ番号単位で記憶する記憶手段を備え前記複数の予約ジョブに含まれる画像データに基づいて画像形成を行う画像形成装置と、情報処理装置と、を通信回線により接続し、
前記情報処理装置から、前記複数の予約ジョブのうち修正対象となるジョブ番号情報及びページ番号情報を前記画像形成装置に送信し、
前記画像形成装置は、前記情報処理装置から送信された修正対象となるジョブ番号情報及びページ番号情報に基づいて、前記記憶手段に記憶されている複数の予約ジョブから修正対象となるジョブ番号及びページ番号の画像データを読み出して前記情報処理装置に送信し、
前記情報処理装置は、前記画像形成装置から送信された画像データに修正を施して修正済みの画像データを前記画像形成装置に送信し、
前記画像形成装置は、前記修正対象となるジョブ番号及びページ番号の画像データを前記情報処理装置から送信された修正済みの画像データに更新することを特徴とする画像修正方法。
【請求項８】
請求項７に記載の画像修正方法において、
前記画像形成装置は、修正可能な予約ジョブの予約ジョブリスト情報を前記情報処理装置に送信し、
前記情報処理装置は、前記画像形成装置から送信された予約ジョブリスト情報に含まれる予約ジョブから修正対象となるジョブ番号情報及びページ番号情報を前記画像形成装置に送信することを特徴とする画像修正方法。
【請求項９】
請求項８に記載の画像修正方法において、
前記予約ジョブリスト情報は、前記画像形成装置にてプルーフ出力した予約ジョブのみを含むことを特徴とする画像修正方法。
【請求項１０】
請求項７〜９のいずれか一項に記載の画像修正方法において、
前記記憶手段に記憶されている画像データは圧縮画像データであり、
前記画像形成装置は、前記情報処理装置に画像データを送信する際に、前記圧縮画像データを伸張画像データに変換し、当該伸張画像データを前記情報処理装置に送信することを特徴とする画像修正方法。
【請求項１１】
請求項７〜１０のいずれか一項に記載の画像修正方法において、
前記情報処理装置から前記画像形成装置に送信される修正済みの画像データは伸張画像データであり、
前記画像形成装置は、前記伸張画像データを圧縮画像データに変換することを特徴とする画像修正方法。
【請求項１２】
請求項７〜１１のいずれか一項に記載の画像修正方法において、
前記画像形成装置と前記情報処理装置との間でジョブ番号情報、ページ番号情報及び画像データを送受信する際に使用するプロトコルはＨＴＴＰであることを特徴とする画像修正方法。
【発明の詳細な説明】
【技術分野】
【０００１】
本発明は、画像形成システム及び画像修正方法に関する。
【背景技術】
【０００２】
近年のデジタル画像形成装置では、数百ページにも及ぶジョブを数百部出力する等、従来印刷機で行っていたような大量ボリュームの出力を行うようになっている。この場合、出力結果に誤りがないかどうかプルーフ出力（確認出力）を行って出力物を確認した後、本出力を行うのが一般的である。
【０００３】
例えば、ジョブの出力設定情報を示すジョブチケットに誤りがあった場合には、通常、画像形成装置の操作部において、オペレータが設定変更を行い、正しい出力設定に変更する。また、画像に誤りがあった場合には、コピージョブの場合には原稿全てを再読み込みしたり、プリンタジョブの場合には正しいジョブを再送信したりすることにより対応している。
【０００４】
しかし、大量ボリュームのジョブの一部のページに修正を加える場合、全原稿の再読み込みやプリンタジョブの再送信では、再度プルーフ出力に至るまでの時間がかかってしまい、納期に遅れが生じる等の問題がある。
【０００５】
そこで、さらに高機能の画像形成装置では、コピージョブの場合、対象のページのみを再読み込みしたり、プリンタジョブの場合、対象のページのみを再送信したりして、修正を行うことが可能なものもある（特許文献１、特許文献２参照。）。特許文献２では、プルーフ出力時に各ページに識別番号を印刷して、画像データの修正が必要なページの特定を容易にするための技術が提案されている。
【特許文献１】特開２００２−１２７５７０号公報
【特許文献２】特開２００２−２５１２７２号公報
【発明の開示】
【発明が解決しようとする課題】
【０００６】
しかし、上記従来技術では、誤りがあったページを修正する際に、画像形成装置の操作部で操作を行う必要があり、操作が煩雑であった。また、この操作時には、操作部を占有してしまうため、オペレータが他のジョブを確認したり、紙の残枚数をチェックしたりすることが同時に行えない場合があった。
【０００７】
本発明は上記の従来技術における問題に鑑みてなされたものであって、画像形成装置における画像データの修正を容易にし、画像形成装置の稼動効率を向上させることを課題とする。
【課題を解決するための手段】
【０００８】
請求項１に記載の発明は、画像形成システムにおいて、複数の予約ジョブをジョブ番号及びページ番号単位で記憶する記憶手段を備え前記複数の予約ジョブに含まれる画像データに基づいて画像形成を行う画像形成装置と、情報処理装置と、が通信回線により接続され、前記情報処理装置は、前記複数の予約ジョブのうち修正対象となるジョブ番号情報及びページ番号情報を前記画像形成装置に送信し、前記画像形成装置は、前記情報処理装置から送信された修正対象となるジョブ番号情報及びページ番号情報に基づいて、前記記憶手段に記憶されている複数の予約ジョブから修正対象となるジョブ番号及びページ番号の画像データを読み出して前記情報処理装置に送信し、前記情報処理装置は、前記画像形成装置から送信された画像データに修正を施して修正済みの画像データを前記画像形成装置に送信し、前記画像形成装置は、前記修正対象となるジョブ番号及びページ番号の画像データを前記情報処理装置から送信された修正済みの画像データに更新するように構成したことを特徴とする。
【０００９】
請求項２に記載の発明は、請求項１に記載の画像形成システムにおいて、前記画像形成装置は、修正可能な予約ジョブの予約ジョブリスト情報を前記情報処理装置に送信し、前記情報処理装置は、前記画像形成装置から送信された予約ジョブリスト情報に含まれる予約ジョブから修正対象となるジョブ番号情報及びページ番号情報を前記画像形成装置に送信することを特徴とする。
【００１０】
請求項３に記載の発明は、請求項２に記載の画像形成システムにおいて、前記予約ジョブリスト情報は、前記画像形成装置にてプルーフ出力した予約ジョブのみを含むことを特徴とする。
【００１１】
請求項４に記載の発明は、請求項１〜３のいずれか一項に記載の画像形成システムにおいて、前記記憶手段に記憶されている画像データは圧縮画像データであり、前記画像形成装置は、前記情報処理装置に画像データを送信する際に、前記圧縮画像データを伸張画像データに変換し、当該伸張画像データを前記情報処理装置に送信することを特徴とする。
【００１２】
請求項５に記載の発明は、請求項１〜４のいずれか一項に記載の画像形成システムにおいて、前記情報処理装置から前記画像形成装置に送信される修正済みの画像データは伸張画像データであり、前記画像形成装置は、前記伸張画像データを圧縮画像データに変換することを特徴とする。
【００１３】
請求項６に記載の発明は、請求項１〜５のいずれか一項に記載の画像形成システムにおいて、前記画像形成装置と前記情報処理装置との間でジョブ番号情報、ページ番号情報及び画像データを送受信する際に使用するプロトコルはＨＴＴＰ（HyperText Transfer Protocol）であることを特徴とする。
【００１４】
請求項７に記載の発明は、画像修正方法において、複数の予約ジョブをジョブ番号及びページ番号単位で記憶する記憶手段を備え前記複数の予約ジョブに含まれる画像データに基づいて画像形成を行う画像形成装置と、情報処理装置と、を通信回線により接続し、前記情報処理装置から、前記複数の予約ジョブのうち修正対象となるジョブ番号情報及びページ番号情報を前記画像形成装置に送信し、前記画像形成装置は、前記情報処理装置から送信された修正対象となるジョブ番号情報及びページ番号情報に基づいて、前記記憶手段に記憶されている複数の予約ジョブから修正対象となるジョブ番号及びページ番号の画像データを読み出して前記情報処理装置に送信し、前記情報処理装置は、前記画像形成装置から送信された画像データに修正を施して修正済みの画像データを前記画像形成装置に送信し、前記画像形成装置は、前記修正対象となるジョブ番号及びページ番号の画像データを前記情報処理装置から送信された修正済みの画像データに更新することを特徴とする。
【００１５】
請求項８に記載の発明は、請求項７に記載の画像修正方法において、前記画像形成装置は、修正可能な予約ジョブの予約ジョブリスト情報を前記情報処理装置に送信し、前記情報処理装置は、前記画像形成装置から送信された予約ジョブリスト情報に含まれる予約ジョブから修正対象となるジョブ番号情報及びページ番号情報を前記画像形成装置に送信することを特徴とする。
【００１６】
請求項９に記載の発明は、請求項８に記載の画像修正方法において、前記予約ジョブリスト情報は、前記画像形成装置にてプルーフ出力した予約ジョブのみを含むことを特徴とする。
【００１７】
請求項１０に記載の発明は、請求項７〜９のいずれか一項に記載の画像修正方法において、前記記憶手段に記憶されている画像データは圧縮画像データであり、前記画像形成装置は、前記情報処理装置に画像データを送信する際に、前記圧縮画像データを伸張画像データに変換し、当該伸張画像データを前記情報処理装置に送信することを特徴とする。
【００１８】
請求項１１に記載の発明は、請求項７〜１０のいずれか一項に記載の画像修正方法において、前記情報処理装置から前記画像形成装置に送信される修正済みの画像データは伸張画像データであり、前記画像形成装置は、前記伸張画像データを圧縮画像データに変換することを特徴とする。
【００１９】
請求項１２に記載の発明は、請求項７〜１１のいずれか一項に記載の画像修正方法において、前記画像形成装置と前記情報処理装置との間でジョブ番号情報、ページ番号情報及び画像データを送受信する際に使用するプロトコルはＨＴＴＰであることを特徴とする。
【発明の効果】
【００２０】
請求項１、７に記載の発明によれば、画像形成装置は、情報処理装置から送信されたジョブ番号情報及びページ番号情報に基づいて、修正対象となるジョブ番号及びページ番号の画像データを読み出して情報処理装置に送信し、情報処理装置は、この画像データに修正を施して修正済みの画像データを画像形成装置に送信し、画像形成装置は、修正対象となるジョブ番号及びページ番号の画像データを情報処理装置から送信された修正済みの画像データに更新するので、画像形成装置における画像データの修正を容易にし、画像形成装置の稼動効率を向上させることができる。
【００２１】
請求項２、８に記載の発明によれば、修正可能な予約ジョブの予約ジョブリスト情報を画像形成装置から情報処理装置に送信することにより、情報処理装置において、修正可能な予約ジョブから修正対象となるジョブ番号情報及びページ番号情報を画像形成装置に送信することができる。
【００２２】
請求項３、９に記載の発明によれば、画像形成装置は、画像形成装置にてプルーフ出力した予約ジョブのみを含む予約ジョブリスト情報を情報処理装置に送信することができる。
【００２３】
請求項４、１０に記載の発明によれば、画像形成装置は、圧縮画像データを伸張画像データに変換し、伸張画像データを情報処理装置に送信するので、情報処理装置側で画像データの伸張処理を行う必要がない。
【００２４】
請求項５、１１に記載の発明によれば、画像形成装置は、情報処理装置から送信された修正済みの伸張画像データを圧縮画像データに変換するので、情報処理装置側で画像データの圧縮処理を行う必要がない。
【００２５】
請求項６、１２に記載の発明によれば、画像形成装置と情報処理装置との間で、ＨＴＴＰを使用してジョブ番号情報、ページ番号情報及び画像データの送受信を行うことができる。
【発明を実施するための最良の形態】
【００２６】
以下、図を参照して本発明の実施の形態を詳細に説明する。本実施の形態においては、情報処理装置として、パーソナルコンピュータ（以下、ＰＣという。）を用いた例を説明する。
【００２７】
図１に、本実施の形態における画像形成システム１の構成を示す。
図１に示すように、画像形成システム１は、画像形成装置２と、ＰＣ３とから構成され、これらはネットワークＮを介して互いに通信接続されている。
【００２８】
まず、画像形成装置２の機能的構成について説明する。
図１に示すように、画像形成装置２は、制御部２１、ジョブ管理部２２、プリンタ部２３、スキャナ部２４、操作部２５、ネットワークインタフェース２６、表示部２７、画像メモリ２８、圧縮／伸張回路２９、ハードディスク３０を備える。
【００２９】
制御部２１は、ＣＰＵ（Central Processing Unit）、ＲＡＭ（Random Access Memory）、ＲＯＭ（Read Only Memory）等を備える。ＣＰＵは、ＲＡＭの所定領域を作業領域としてＲＯＭに記憶されている各種制御プログラムに従い、各部に制御信号を送って画像形成装置２の動作全般を集中制御する。
【００３０】
ジョブ管理部２２は、予約ジョブの画像データが格納されている画像メモリ２８のアドレスをジョブ番号及びページ番号毎に管理する。予約ジョブとは、画像形成装置２が出力するために画像メモリ２８に記憶されているジョブである。ジョブ管理部２２は、制御部２１のＲＯＭに記憶されているジョブ管理プログラムとＣＰＵとの協働によりソフトウェア処理で実現される。
【００３１】
プリンタ部２３は、画像メモリ２８又はハードディスク３０に記憶されている画像データに基づいて、電子写真方式により、紙等の記録材に画像形成を行う。
【００３２】
スキャナ部２４は、コンタクトガラスの下部に、光源、ＣＣＤ（Charge Coupled Device）等を備え、コンタクトガラスに載置された原稿から画像データを取得する。
【００３３】
操作部２５は、表示部２７と一体化したタッチパネルや、数字キー、文字キー、各種機能キー等から構成され、押下されたキーに対応する押下信号を制御部２１に出力する。
【００３４】
ネットワークインタフェース２６は、ＰＣ３と接続するためのインタフェースであり、ＰＣ３との間でデータの送受信を行う。データの送受信に使用されるプロトコルはＨＴＴＰである。
【００３５】
表示部２７は、ＬＣＤ（Liquid Crystal Display）等から構成され、制御部２１から送信される制御信号に基づき、各種表示情報を表示する。
【００３６】
画像メモリ２８は、複数の予約ジョブを圧縮画像データの状態で記憶する。予約ジョブには、スキャナ部２４により取得された原稿画像データをプリンタ部２３により出力するコピージョブ、ネットワークインタフェース２６を介してＰＣ３から受信した画像データをプリンタ部２３により出力するプリンタジョブ、スキャナ部２４により取得された原稿画像データをＥメールにて送信するメール送信ジョブ等が含まれる。
【００３７】
圧縮／伸張回路２９は、伸張画像データを圧縮画像データに変換する圧縮処理や、圧縮画像データを伸張画像データに変換する伸張処理を行う。
【００３８】
ハードディスク３０は、後に出力するためのジョブを圧縮画像データの状態で格納する。
【００３９】
次に、ＰＣ３の機能的構成について説明する。
図１に示すように、ＰＣ３は、制御部３１、記憶部３２、ネットワークインタフェース３３、操作部３４、表示部３５を備える。
【００４０】
制御部３１は、ＣＰＵ、ＲＡＭ、ＲＯＭ等を備える。ＣＰＵは、ＲＡＭの所定領域を作業領域としてＲＯＭに記憶されている各種制御プログラムに従い、各部に制御信号を送ってＰＣ３の動作全般を集中制御する。
【００４１】
記憶部３２は、ＰＣ３により実行される処理に用いられる各種データや、ＰＣ３における処理結果を記憶する。
【００４２】
ネットワークインタフェース３３は、画像形成装置２と接続するためのインタフェースであり、画像形成装置２との間でデータの送受信を行う。データの送受信に使用されるプロトコルはＨＴＴＰである。
【００４３】
操作部３４は、数字キー、文字キー、各種機能キー等から構成されるキーボードや、マウス等のポインティングデバイスから構成され、各キーやマウスの操作信号を制御部３１に出力する。
【００４４】
表示部３５は、ＬＣＤ等から構成され、制御部３１から送信される制御信号に基づき、各種表示情報を表示する。
【００４５】
次に、図２を参照して、画像形成システム１の動作を説明する。
図２は、画像形成システム１の画像形成装置２とＰＣ３により実行される画像データ修正処理を示すはしご図である。画像データ修正処理は、画像形成装置２によるプルーフ出力後、修正が必要なページがあった場合に行われる処理である。
【００４６】
図２に示すように、まず、ＰＣ３の操作部３４から画像形成装置２の予約ジョブリスト情報の取得要求が指示され（ステップＳ１）、予約ジョブリスト情報の取得要求が画像形成装置２に送信される（ステップＳ２）。
【００４７】
画像形成装置２では、予約ジョブリスト情報の取得要求が受信されると、画像メモリ２８に記憶されている予約ジョブに基づいて、予約ジョブリスト情報が生成される（ステップＳ３）。予約ジョブリスト情報には、修正可能な予約ジョブのみが含まれ、例えば、メール送信ジョブ等の修正する必要のないジョブは含まれない。また、予約ジョブリスト情報は、画像形成装置２にてプルーフ出力した予約ジョブのみを含むこととしてもよい。これにより、修正が不要な他のジョブを誤って選択してしまうことを回避することができる。そして、予約ジョブリスト情報が画像形成装置２からＰＣ３に送信される（ステップＳ４）。
【００４８】
次に、ＰＣ３により、予約ジョブリスト情報が受信されると、表示部３５に予約ジョブリスト情報が表示される。予約ジョブリスト情報に含まれる予約ジョブのうち修正対象となるジョブ番号及びページ番号が操作部３４から指示され（ステップＳ５）、ジョブ番号情報及びページ番号情報がこのページの取得要求とともに画像形成装置２に送信される（ステップＳ６）。
【００４９】
画像形成装置２では、ジョブ管理部２２により、ＰＣ３から受信したジョブ番号情報及びページ番号情報に基づいて、修正対象ページの画像データが格納されている画像メモリ２８のアドレスが検索される。そして、圧縮画像データとして格納されている修正対象ページの画像データが画像メモリ２８から読み出され、圧縮／伸張回路２９により伸張される（ステップＳ７）。修正対象ページの伸張画像データは、画像形成装置２からＰＣ３に送信される（ステップＳ８）。
【００５０】
次に、ＰＣ３により、修正対象ページの伸張画像データが受信されると、修正対象ページの画像が表示部３５に表示され、画像データに対して修正が施される（ステップＳ９）。例えば、画像データにゴミ・キズ・汚れがあった場合には、その部分を除去するよう修正される。画像データが曲がっていた場合には、回転処理を施すことにより修正される。また、画像データに新たな画像を追加することとしてもよい。なお、ＰＣ３において、画像データ中の孤立点を自動的に判別して除去することとしてもよい。そして、ＰＣ３からジョブ番号情報及びページ番号情報とともに修正済み画像データ（伸張画像データ）が画像形成装置２に送信される（ステップＳ１０）。
【００５１】
画像形成装置２では、圧縮／伸張回路２９により、ＰＣ３から受信した修正済み画像データ（伸張画像データ）が圧縮される（ステップＳ１１）。そして、ジョブ管理部２２により、ＰＣ３から受信したジョブ番号情報及びページ番号情報に基づいて、修正対象ページの画像データが格納されている画像メモリ２８のアドレスが検索され、修正対象ページの画像データが修正済み画像データ（圧縮画像データ）に更新される（ステップＳ１２）。そして、画像形成装置２からＰＣ３に修正対象ページの画像データの更新が完了したことを示す画像データ更新完了通知が送信される（ステップＳ１３）。
以上で、画像データ修正処理が終了する。
【００５２】
図３に、予約ジョブリスト情報取得処理の概念図を示す。
図３に示すように、ＰＣ３から予約ジョブリスト情報の取得要求が画像形成装置２に送信されると（ステップＳ２１）、画像形成装置２において予約ジョブリスト情報が生成され（ステップＳ２２）、予約ジョブリスト情報が画像形成装置２からＰＣ３に送信される（ステップＳ２３）。図３は、画像形成装置２に予約ジョブとしてページ数４のジョブ１、ページ数３のジョブ２、ページ数５のジョブ３が記憶されている場合の例である。
【００５３】
図４に、修正対象画像データ取得処理の概念図を示す。
図４に示すように、ＰＣ３からジョブ１のページ３の取得要求が画像形成装置２に送信されると（ステップＳ３１）、画像形成装置２において修正対象ページの画像データ（圧縮画像データ）が画像メモリ２８から読み出され（ステップＳ３２）、圧縮／伸張回路２９により伸張される（ステップＳ３３）。そして、修正対象ページの伸張画像データは、画像形成装置２からＰＣ３に送信される（ステップＳ３４）。
【００５４】
図５に、修正対象画像データ更新処理の概念図を示す。
図５に示すように、ＰＣ３から修正済み画像データ（伸張画像データ）がジョブ１のページ３の画像データ更新要求とともに画像形成装置２に送信され（ステップＳ４１）、画像形成装置２において、修正済み画像データ（伸張画像データ）が圧縮／伸張回路２９により圧縮される（ステップＳ４２）。そして、修正対象ページの画像データが修正済み画像データ（圧縮画像データ）に更新され（ステップＳ４３）、画像形成装置２からＰＣ３に修正対象ページの画像データ更新完了通知が送信される（ステップＳ４４）。
【００５５】
本実施の形態における画像形成システム１によれば、画像形成装置２は、ＰＣ３から送信されたジョブ番号情報及びページ番号情報に基づいて、修正対象となるジョブ番号及びページ番号の画像データを読み出してＰＣ３に送信し、ＰＣ３は、この画像データに修正を施して修正済みの画像データを画像形成装置２に送信し、画像形成装置２は、修正対象となるジョブ番号及びページ番号の画像データを修正済みの画像データに更新するので、画像形成装置２における画像データの修正を容易にし、画像形成装置２の稼動効率を向上させることができる。また、ＰＣ３からの操作により修正対象ページの画像データの更新が完了するので、画像形成装置２の操作部２５において操作を行う必要がない。
【００５６】
また、プルーフ出力後、画像に孤立点が存在する場合、元の原稿にキズ・汚れがある場合には、再読み込みを行っても同じ位置に孤立点ができてしまうため、本実施の形態のように、画像データに対して修正を加えることが好ましい。
【００５７】
また、仮に、画像形成装置２から画像データを圧縮画像データの状態でＰＣ３に送信し、ＰＣ３にて圧縮画像データの伸張処理を行う場合には、ソフトウェアによる伸張処理となり、画像形成装置２でのハードウェアを用いた伸張処理と比較して、著しく時間がかかってしまう。しかし、本実施の形態では、画像形成装置２にて圧縮画像データを伸張画像データに変換し、伸張画像データをＰＣ３に送信するので、ＰＣ３側で画像データの伸張処理を行う必要がなく、画像表示が容易になる。同様に、画像形成装置２にてＰＣ３から送信された修正済みの伸張画像データを圧縮画像データに変換するので、ＰＣ３側で画像データの圧縮処理を行う必要がない。
【００５８】
なお、本実施の形態においては、ＰＣ３において、修正対象となる画像データを画像形成装置２から取得して、修正した後に画像形成装置２に送り返して、修正対象となる画像データを更新することとしたが、元の画像データを取得せずに、更新用の画像データをＰＣ３内で作成して画像形成装置２に送信し、修正対象ページを更新用の画像データに更新することとしてもよい。
【００５９】
また、例えば、ＰＣ３において、画像形成装置２からジョブ２のページ３の画像データを取得し、取得された画像データを、ジョブ１のページ２の画像データ更新要求とともに画像形成装置２に送り返す等、ジョブ間で画像データの一部を更新することとしてもよい。
【００６０】
また、上記実施の形態における記述は、本発明に係る好適な画像形成システムの例であり、これに限定されるものではない。画像形成システムを構成する各部の細部構成及び細部動作に関しても本発明の趣旨を逸脱することのない範囲で適宜変更可能である。
【００６１】
例えば、画像形成システム１では、画像形成装置２と、ＰＣ３とがネットワークＮを介して接続されていることとしたが、これらが専用の通信回線により接続されていることとしてもよい。
【図面の簡単な説明】
【００６２】
【図１】本発明の実施の形態における画像形成システム１の構成図である。
【図２】画像形成システム１の画像形成装置２とＰＣ３により実行される画像データ修正処理を示すはしご図である。
【図３】予約ジョブリスト情報取得処理の概念図である。
【図４】修正対象画像データ取得処理の概念図である。
【図５】修正対象画像データ更新処理の概念図である。
【符号の説明】
【００６３】
１  画像形成システム
２  画像形成装置
２１  制御部
２２  ジョブ管理部
２３  プリンタ部
２４  スキャナ部
２５  操作部
２６  ネットワークインタフェース
２７  表示部
２８  画像メモリ
２９  圧縮／伸張回路
３０  ハードディスク
３  ＰＣ
３１  制御部
３２  記憶部
３３  ネットワークインタフェース
３４  操作部
３５  表示部
【図１】
2005332029.tif 000003
【図２】
2005332029.tif 000004
【図３】
2005332029.tif 000005
【図４】
2005332029.tif 000006
【図５】
2005332029.tif 000007